(57)【要約】【課題】ネームプレートを収容部に収容する際の作業性を向上させることができる分電盤を提供する。【解決手段】分電盤は、主幹ブレーカ及び複数の分岐ブレーカ５３，５４を収容するハウジングの前面に、ネームプレートを収容する収容部を有する。収容部７５は、前記分岐ブレーカの並設方向に沿って一方向に長く、前記ネームプレートを前記収容部の短手方向から収容可能に構成される。【選択図】図８
2015208097.tif 000002
【特許請求の範囲】
【請求項１】
主幹ブレーカ及び複数の分岐ブレーカを収容するハウジングの前面に、ネームプレートを収容する収容部を有する分電盤のハウジングであって、
前記収容部は、前記分岐ブレーカの並設方向に沿って一方向に長く、前記ネームプレートを前記収容部の短手方向から収容可能に構成されることを特徴とする分電盤のハウジング。
【請求項２】
請求項１に記載の分電盤のハウジングにおいて、
前記収容部は、前記ネームプレートを鉛直方向上側から収容可能に構成されることを特徴とする分電盤のハウジング。
【請求項３】
請求項１又は２に記載の分電盤のハウジングと、前記分電盤のハウジングに収容されるブレーカとを備えたことを特徴とする分電盤。
【発明の詳細な説明】
【技術分野】
【０００１】
本発明は、内部にブレーカを収容する分電盤のハウジングと、ハウジングを備えた分電盤に関するものである。
【背景技術】
【０００２】
従来、分電盤は、主幹ブレーカや主幹ブレーカに接続された主幹電路から分岐して電気機器に電力を供給する分岐電路にそれぞれ設けられた複数の分岐ブレーカ等の内部機器と、内部機器が収容されるハウジングとを有して構成される（例えば特許文献１参照）。
【０００３】
このような分電盤のハウジングは、有底筒状のハウジングベースと、前記ハウジングベースの開口部を塞ぐカバーとを有する。ハウジングベースとカバーとで形成された収容空間内に前記内部機器が収容される。また、カバーには前記主幹ブレーカのハンドル（操作部）や分岐ブレーカのハンドルを露出させるための窓部が形成されて、ハンドルが操作可能となっている。
【先行技術文献】
【特許文献】
【０００４】
【特許文献１】特開２００９−２６８２５２号公報
【発明の概要】
【発明が解決しようとする課題】
【０００５】
ところで、分電盤の分岐ブレーカは、分岐電路毎に設けられ、これらの分岐電路としては住宅用の場合には、主に「リビング」、「キッチン」、「和室」といった部屋毎や、「エアコン」、「照明器具」といった電気機器毎に設けられることがある。このため、複数の分岐ブレーカが設けられる分電盤には、分岐ブレーカの近傍に分岐ブレーカの分類を示すネームプレートなどを目視可能な状態で収容する収容部が設けられる。また、ネームプレートは、分岐ブレーカの並設方向において、各分岐ブレーカに対応するように複数の項目（分類）を記載する必要がある。このため、ネームプレートは一方向に長い傾向となる。しかしながら、これまでの分電盤においては、収容部にネームプレートを収容する際の作業性については考慮されておらず、この点において改善の余地が残されている。
【０００６】
本発明は、上記課題を解決するためになされたものであって、その目的は、ネームプレートを収容部に収容する際の作業性を向上させることができる分電盤のハウジング及び分電盤を提供することにある。
【課題を解決するための手段】
【０００７】
上記課題を解決するために、分電盤は、主幹ブレーカ及び複数の分岐ブレーカを収容するハウジングの前面に、ネームプレートを収容する収容部を有する分電盤であって、前記収容部は、前記分岐ブレーカの並設方向に沿って一方向に長く、前記ネームプレートを前記収容部の短手方向から収容可能に構成されることを特徴とする。
【０００８】
また上記構成において、前記収容部は、前記ネームプレートを鉛直方向上側から収容可能に構成されることが好ましい。
また、上記課題を解決するために、分電盤は、上記いずれかの構成の分電盤のハウジングと、前記分電盤のハウジングに収容されるブレーカとを備えたことを特徴とする。
【発明の効果】
【０００９】
本発明の分電盤のハウジング及び分電盤によれば、ネームプレートを収容部に収容する際の作業性を向上させることができる。
【図面の簡単な説明】
【００１０】
【図１】実施形態におけるドアを閉じた状態の分電盤の斜視図である。
【図２】同上におけるドアを開けた状態における分電盤の斜視図である。
【図３】同上におけるドアを省略した状態における分電盤の斜視図である。
【図４】（ａ）は同上におけるハウジングの正面図であり、（ｂ）は（ａ）の部分拡大図である。
【図５】（ａ）は同上におけるハウジングの側面図であり、（ｂ）は（ａ）の部分拡大図である。
【図６】同上におけるハウジングベースの平面図である。
【図７】同上におけるハウジングカバーの平面図である。
【図８】同上における分岐ブレーカのネームプレート収容部について説明するための平面図である。
【図９】同上における分岐ブレーカ用カバーの平面図である。
【図１０】同上におけるネームプレート収容部を構成する透明カバーの平面図である。
【図１１】同上における分岐ブレーカ用カバーの斜視図である。
【図１２】同上における分岐ブレーカのネームプレート収容部について説明するための斜視図である。
【発明を実施するための形態】
【００１１】
以下、分電盤の一実施形態を図面に従って説明する。
図１〜図３に示すように本実施形態の分電盤１０は、収容空間を有するハウジング１１と、ハウジング１１の収容空間内に収容される主幹ブレーカ５２や分岐ブレーカ５３，５４等の内部収容品５１とを有する。なお、以下の説明において、分電盤１０を住宅の壁面に取り付けを行った際の鉛直方向を分電盤の上下方向、前記壁面と直交する方向を分電盤１０の前後方向、上下方向及び前後方向と直交する方向を分電盤１０の左右方向として説明を行う。また、一部の図においては矢印付きで各方向を示している。
【００１２】
図２及び図３に示すように、ハウジング１１は、有底矩形筒状のハウジングベース１２と、ハウジングベース１２の開口部１２ａを覆う有底矩形筒状のハウジングカバー１３とを有する。
【００１３】
図３及び図６に示すように、ハウジングベース１２は、底部２１と、底部２１の縁部から延出する矩形筒状部２２とを有して有底矩形筒状をなすよう構成される。
図３及び図６に示すように、ハウジングベース１２の底部２１は、その略中央に略矩形状に形成された電線挿通用の挿通孔２１ａが開口している。底部２１には前記挿通孔２１ａを挟んで上下両側のそれぞれに、複数のガイド孔２１ｂが左右方向に複数並設される。ガイド孔２１ｂは挿通孔２１ａの上側と下側との両方に同数個形成されている。
【００１４】
図３及び図６に示すように、ハウジングベース１２の矩形筒状部２２は、底部２１の縁部から延出する４つの側板部２３，２４によって構成される。矩形筒状部２２は、前記底部２１とは反対側の端部が開口部１２ａとなっている。矩形筒状部２２を構成する４つの側板部２３，２４は、左右方向に延びる２つ長尺側板部２３と、上下方向に延びる２つの短尺側板部２４とで構成される。
【００１５】
図５（ａ）及び図６に示すように、２つの長尺側板部２３のうちの相対的に上方向に位置する長尺側板部２３は、その外側面において板面と直交する方向に突出する突起２３ｔを長手方向両側にそれぞれ１個（計２個）有する。
【００１６】
図４（ａ）、図５（ａ）及び図６に示すように、矩形筒状部２２を構成する各側板部２４は、その外側面において板面と直交する方向に突出する突起２４ｔを長手方向両側にそれぞれ１個（計２個）有する。側板部２３の突起２３ｔの突出方向と側板部２４の突起２４ｔの突出方向は略直交する関係となっている。
【００１７】
図４（ｂ）及び図５（ｂ）に示すように、各側板部２３，２４の各突起２３ｔ，２４ｔは、ハウジングベース１２にハウジングカバー１３を組み付けた際に、ハウジングカバー１３よりも左右方向又は上下方向において外側に突出する長さを有する。
【００１８】
図３及び図７に示すように、ハウジングカバー１３は、底部３１と、底部３１の縁部から延出する矩形筒状部３２とを有して有底矩形筒状をなすように構成される。
図３及び図７に示すように、ハウジングカバー１３の底部３１は、その略中央に略矩形状に形成された開口部３１ａを有する。この開口部３１ａには、開口部３１ａを挟んで上下両側のそれぞれに、上下方向に延出する延出片３１ｂが左右方向に複数並設される。この延出片３１ｂには、主幹ブレーカ用カバー７０や後述する分岐ブレーカ用カバー７１などの各種カバーが取り付けられるようになっている。
【００１９】
図７に示すように、ハウジングカバー１３の矩形筒状部３２は、底部３１の縁部から延出する４つの側板部３３，３４によって構成される。矩形筒状部３２は、前記底部３１とは反対側の端部が開口部３２ａとなっている。矩形筒状部３２を構成する４つの側板部３３，３４は、左右方向に延びる２つ長尺側板部３３と、上下方向に延びる２つの短尺側板部３４とで構成される。
【００２０】
図６及び図７に示すように、底部３１の上下方向の端部から延出する２つの長尺側板部３３は、その内面間の長さ（内寸）Ｄｂ１が、ハウジングベース１２側の２つの長尺側板部２３の外面間の長さ（外寸）Ｄａ１よりも長く設定される。また、底部３１の左右方向の端部から延出する２つの短尺側板部３４は、その内面間の長さ（内寸）Ｄｂ２が、ハウジングベース１２側の２つの短尺側板部２４の外面間の長さ（外寸）Ｄａ２よりも長く設定される。このため、ハウジングカバー１３の矩形筒状部３２は、ハウジングベース１２の矩形筒状部２２よりも開口面積が一回り広い構成とされる。これにより、ハウジングカバー１３は、その底部３１がハウジングベース１２の底部２１と対向する方向においてハウジングベース１２に対して組み付けることで、矩形筒状部３２がハウジングベース１２の矩形筒状部２２の周囲を覆うこととなる。このため、分電盤１０を左右方向又は上下方向から見た時にハウジングカバー１３の矩形筒状部３２がハウジングベース１２の矩形筒状部２２と重なるようになっている。例えばハウジングベース１２の矩形筒状部とハウジングカバー１３の矩形筒状部とを突きあわせた状態と比較して、左右方向や上下方向から見た時に隙間が生じることが抑えられている。
【００２１】
図７に示すように２つの長尺側板部３３のうちの相対的に上方向に位置する長尺側板部３３は、先端側（反底部３１側であり、前後方向において後ろ側）から基端側にかけて凹状をなすように形成される凹部３３ｔを長手方向両側にそれぞれ１個（計２個）有する。
【００２２】
図５（ａ）及び図７に示すように、矩形筒状部３２を構成する各短尺側板部３４は、先端側（反底部３１側であり、前記前後方向において後ろ側）から基端側にかけて凹状をなすように形成される凹部３４ｔを長手方向両側にそれぞれ１個（計２個）有する。各凹部３３ｔ，３４ｔは、ハウジングベース１２とハウジングカバー１３とを組み付けた際に、前記突起２３ｔ，２４ｔを嵌入可能な位置に形成されている。このため、凹部３３ｔ，３４ｔは、ハウジングベース１２とハウジングカバー１３とを組み付けた際に前記突起２３ｔ，２４ｔと干渉しないようになっている。また、凹部３３ｔ，３４ｔによって相対的に突起２３ｔ，２４ｔの突出量が減ることとなり、突起２３ｔ，２４ｔの極端な飛び出しが抑えられている。
【００２３】
図２に示すように、ハウジングカバー１３の底部３１を構成する前面３１ｃには、ハウジングカバー１３の前面３１ｃを覆うドア１４が開閉（回動）可能に設けられる。これにより、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３，５４を隠すことが可能となっている。
【００２４】
図２、図３及び図８に示すように、ハウジング１１に収容される分岐ブレーカ５３は、たとえば照明器具や給湯設備等の機器、差込接続装置のコンセント（アウトレット）や壁スイッチ等の配線器具が負荷に対応するものである。分岐ブレーカ５４は、分岐ブレーカ５３より高い定格電流の負荷に対応したものである。
【００２５】
図２、図３及び図８に示すように、分岐ブレーカ５３は、複数設けられており、分電盤１０のハウジング１１内において上下方向において間隔を隔てた２列のブレーカ群６１，６２を形成している。２列のブレーカ群６１，６２は、ハウジング１１内において鉛直方向上側に位置する上側ブレーカ群６１と、ハウジング１１内において鉛直方向下側に位置する下側ブレーカ群６２とで構成される。
【００２６】
図８に示すように、上側ブレーカ群６１は、分電盤１０内において前記下側ブレーカ群６２よりも上側に位置するとともに前記下側ブレーカ群６２と上下方向において離間するように配置される。上側ブレーカ群６１は、分電盤１０の左右方向において分岐ブレーカ５３が複数並設されて構成される。
【００２７】
図８に示すように、下側ブレーカ群６２は、分電盤１０の左右方向において分岐ブレーカ５３が複数並設されるとともに、分岐ブレーカ５３よりも高い定格電流の負荷に対応する分岐ブレーカ５４が前記分岐ブレーカ５３と隣接されて構成される。
【００２８】
図８に示すように、各ブレーカ群６１，６２を覆う分岐ブレーカ用カバー７１は、上下方向において上側寄りに形成される上側窓部７２を有する。上側窓部７２は、上側ブレーカ群６１を構成する分岐ブレーカ５３の各ハンドル５３ａを露出させるために左右方向を長手方向とした矩形状に形成される。
【００２９】
また、分岐ブレーカ用カバー７１は、上下方向において下側寄り、即ち前記上側窓部７２よりも下側に形成される下側窓部７３を有する。下側窓部７３は、下側ブレーカ群６２を構成する分岐ブレーカ５３及び分岐ブレーカ５４の各ハンドル５３ａ，５４ａを露出させるために左右方向を長手方向とした矩形状に形成される。
【００３０】
図８及び図９に示すように、分岐ブレーカ用カバー７１は、上側窓部７２と下側窓部７３との間に、鉛直方向上側からネームプレートＮＰを収容可能な収容部７４を有する。収容部７４は、透明カバー７５と、この透明カバー７５を保持する保持部７６とを有する。
【００３１】
図８及び図１０に示すように、透明カバー７５は透明部材からなるものであり、ネームプレートＮＰを収容部７４に収容した状態でネームプレートＮＰに記載された事項が視認可能となっている。透明カバー７５は、分電盤１０の左右方向を長手方向とする矩形板状をなすものであり、上下方向を短手方向とした際に下端の左右方向略中央位置から下方に延出する延出片７５ａを有する。また、透明カバー７５は、左右方向（長手方向）の端部から左右方向両側に延出する延出片７５ｂを有する。左右方向両側に延出する延出片７５ｂは、透明カバー７５の左右方向の端部のそれぞれに２つ形成される。
【００３２】
図８及び図９に示すように、保持部７６は、鉛直方向下側の第１保持部７７と、左右方向両側の２つの第２保持部７８との３つで前記透明カバー７５を保持するものである。
図８、図９、図１１及び図１２に示すように、第１保持部７７は、透明カバー７５を鉛直方向下側から保持するものである。第１保持部７７は、分岐ブレーカ用カバー７１の上側窓部７２及び下側窓部７３との間の板面７１ａにおいて下方に位置する。第１保持部７７は、前記板面７１ａから前方に延出する延出部７７ａと、延出部７７ａの左右方向略中央位置において下方に凹状をなす凹部７７ｂと、延出部７７ａの左右方向略中央位置に板面７１ａの前後方向に貫通形成される孔部７７ｃとを有する。この凹部７７ｂには、透明カバー７５の延出片７５ａが挿通されるようになっている。
【００３３】
図８、図９、図１１及び図１２第２保持部７８は、透明カバー７５の左右方向両側を保持するものである。第２保持部７８は、分岐ブレーカ用カバー７１の上側窓部７２及び下側窓部７３との間の板面７１ａにおける左右方向両側において前記板面７１ａから前方に延出する２つの延出部７８ａを有する。各延出部７８ａは、第１保持部７７の延出部７７ａと連続するように形成される。各第２保持部７８は、各延出部７８ａの左右方向内側端部から左右方向外側に凹状をなす２つの凹部７８ｂと、延出部７８ａの左右方向内側端部から左右方向内側に延出する２つの突起７８ｃと、板面７１ａの前後方向に貫通形成される２つの孔部７８ｄとを有する。各第２保持部７８の２つの凹部７８ｂ、２つの突起７８ｃ及び２つの孔部７８ｄは、上下方向において離間するように形成される。各第２保持部７８の２つの凹部７８ｂ、２つの突起７８ｃ及び２つの孔部７８ｄは、それぞれ１つの凹部７８ｂ、１つの突起７８ｃ及び１つの孔部７８ｄに注目した際に前記延出部７８ａと近傍であって上下方向において同一位置に形成されている。各凹部７８ｂには、透明カバー７５の延出片７５ｂが挿通されるようになっている。
【００３４】
次に、本実施形態の分電盤の作用を説明する。
本実施形態の分電盤１０は、ハウジング１１内部に複数の分岐ブレーカ５３，５４が並設される。分岐ブレーカ５３のハンドル５３ａ，５４ａは、分岐ブレーカ用カバー７１の各窓部７２，７３から露出され、操作可能とされる。分岐ブレーカ用カバー７１には、ネームプレートＮＰを短手方向である鉛直方向上側から収容可能な収容部７４を備える。これによって、ネームプレートＮＰを収容保持して各分岐ブレーカ５３，５４の分類を確認することが可能となっている。
【００３５】
次に、本実施形態の効果を記載する。
（１）収容部７４は、分岐ブレーカ５３の並設方向に沿って一方向に長く、ネームプレートＮＰを収容部７４の短手方向から収容可能に構成される。このため、長手方向から収容する場合と比較して、ネームプレートＮＰを収容（挿入）する際のストロークを短くすることができ、ネームプレートＮＰを収容部７４に収容する際の作業性を向上させることができる。
【００３６】
（２）収容部７４は、前記ネームプレートＮＰを鉛直方向上側から収容可能に構成される。ここで、例えば鉛直方向下側から収容可能に構成した場合には、ネームプレートＮＰの収容時における出入口が鉛直方向下側に位置するため、ネームプレートＮＰを収容する際に、ネームプレートＮＰの抜け止めを考慮しなければならない。しかしながら、本実施形態の収容部７４は、鉛直方向上側が収容時における出入口であるため、出入口となる箇所に特段の抜け止めを設ける必要がない。これによって、収容部７４の構成を容易とすることが可能となる。
【００３７】
なお、上記実施形態は、以下のように変更してもよい。
・上記実施形態では、分岐ブレーカ５３を左右方向に並設する構成としたが、これに限らない。例えば鉛直方向に並設する構成を採用してもよい。
【００３８】
・上記実施形態では、収容部７４として透明カバーを有する構成としたが、これに限らない。収容部７４内に収容されたネームプレートＮＰが目視可能であれば適宜変更してもよい。
【００３９】
・上記実施形態では、ハウジングベース１２及びハウジングカバー１３を有底矩形筒状としたが、有底筒状であれば適宜変更してもよい。ただし、ハウジングベース１２の矩形筒状部２２及びハウジングカバー１３の矩形筒状部３２は類似形状であることが好ましい。
【００４０】
・上記実施形態並びに上記変形例は適宜組み合わせてもよい。
【符号の説明】
【００４１】
１０…分電盤、１１…ハウジング、１２…ハウジングを構成するハウジングベース、１３…ハウジングを構成するハウジングカバー、５２…主幹ブレーカ、５３，５４…分岐ブレーカ、７０…ハウジングを構成する主幹ブレーカ用カバー、７１…ハウジングを構成する分岐ブレーカ用カバー、７４…収容部、ＮＰ…ネームプレート。
【図１】
2015208097.tif 000003
【図２】
2015208097.tif 000004
【図３】
2015208097.tif 000005
【図４】
2015208097.tif 000006
【図５】
2015208097.tif 000007
【図６】
2015208097.tif 000008
【図７】
2015208097.tif 000009
【図８】
2015208097.tif 000010
【図９】
2015208097.tif 000011
【図１０】
2015208097.tif 000012
【図１１】
2015208097.tif 000013
【図１２】
2015208097.tif 000014